(57)【特許請求の範囲】
【請求項１】
同一、同種の商品を販売するチェーンストア、フランチャイズ等、複数の小売店舗に対して、前記商品の在庫を一元管理する在庫管理システムであって、
少なくとも、店舗マスタ、仕入先マスタ、商品マスタ、価格マスタから構成されているマスタデータの格納部と、
少なくとも、所定期間内における値下げ価格と値下げ指示日、前記商品の仕入総数量、前記商品の仕入日、前記商品を前記複数の小売店舗に仕分けた店舗別数量、店舗別売上数及び在庫数を含む個別データを受け付けて記憶する記憶部と、
前記複数の小売店舗のうち、特定の店舗と前記所定期間の前記個別データとを前記記憶部から読みだすとともに、前記格納部のマスタデータに基づいて、前記特定の店舗の在庫一覧表を生成する生成部と、
前記生成された在庫一覧表を表示する表示部と、
を有し、
前記在庫一覧表は、仕入先別に、前記商品の画像を有する一つの商品表示欄に対して、少なくとも、前記商品の価格欄、前記商品の仕入履歴欄、前記特定の店舗の在庫欄、前記複数の小売店舗すべての売上数量及び在庫数量を表示する各店舗状況欄を対応させた商品ごとの在庫表示群を対比可能に同一形式で並列させて構成された在庫管理システム。
【請求項２】
前記格納部は、商品カテゴリマスタを格納し、前記生成部は、前記在庫一覧表を前記仕入先別のほか、前記格納部から前記商品カテゴリマスタを読み出して、商品カテゴリー別に生成することが可能である請求項１記載の在庫管理システム。
【請求項３】
前記所定期間内における前記複数の小売店舗すべての仕入の数量に対する売上数量の比率である消化率を算出する算出部を有し、
前記生成部は、前記仕入先別又は前記商品カテゴリー別の在庫一覧表に、前記算出された消化率を表示する請求項２に記載の在庫管理システム。
【請求項４】
前記表示部は、前記仕入先別又は商品カテゴリー別の在庫一覧表に表示されているいずれかの店舗の在庫数量が指定されると、当該店舗の前記商品を他のいずれかの指定店舗に移動させる店間移動の指示データ入力フォームを表示する請求項２又は請求項３に記載の在庫管理システム。
【請求項５】
前記価格欄は、各商品の売価のほか、上代、卸価格、下代から構成されている請求項１から請求項４までのいずれか１項に記載の在庫管理システム。
【請求項６】
前記価格欄に、値下げ価格及び値下げ指示日が含まれる請求項５記載の在庫管理システム。
【請求項７】
前記商品の仕入履歴欄は、前記所定期間内で仕入数量の多い日付順に前記商品の仕入日と当該仕入日の仕入数量を列記するとともに、仕入総数量を表示する請求項１から請求項６までのいずれか１項に記載の在庫管理システム。
【請求項８】
最新の仕入日からの経過日数又は在庫の数量に対して、所定の閾値を設定し、前記閾値を超過した商品を判定する判定部を有し、前記生成部は、前記閾値を超過した商品の在庫表示群を他の在庫表示群と識別できる表示で生成する請求項１から請求項７までのいずれか１項に記載の在庫管理システム。
【請求項９】
前記特定の店舗の在庫欄に、前記商品の前記在庫一覧表の生成時における前記所定期間内の販売数又は在庫数のいずれか表示させるように選択可能とする表示選択部を有する請求項１から請求項８までのいずれか１項に記載の在庫管理システム。
【請求項１０】
前記各店舗状況欄に、各店舗の入庫予定数量を表示する請求項１から請求項７までのいずれか１項に記載の在庫管理システム。
【発明の詳細な説明】
【技術分野】
【０００１】
本発明は、チェーンストア、フランチャイズチェーン、ボランタリーチェーン等、多店舗展開する流通事業における商品の在庫を一元管理する在庫管理システムに関するものである。
【背景技術】
【０００２】
チェーンストア、フランチャイズチェーン、ボランタリーチェーンなど、一定のボリュームで仕入れた商品を多店舗で販売する流通事業者にとって、商品の最適な在庫管理は重要なタスクである。特に、季節など、短期間の時限で大量に同種の商品の仕入れを繰り返すアパレル関連の小売では、いわゆる売価変更、店間移動、客注などが頻繁に発生するため、商品の在庫情報が錯綜する。従って、適切な在庫管理を行わなければ、商品の需給バランスを失い、キャッシュフローの悪化を招くなどの問題が生じる。
【０００３】
従来、かかる在庫管理のために、在庫状況データに基づき複数の店舗の在庫状況を表示装置に表示させる表示制御部と、ユーザによる操作に基づき在庫状況データを変更するデータ処理部とを備えた在庫管理装置が提案されていた。前記表示制御部は、表示装置の表示画面に、複数の店舗のそれぞれに対応する表示領域を設け、表示領域において、商品種類ごとに１列または１行で在庫数をその在庫数と同数の所定のシンボル画像で表示させ、さらに、ユーザによる移動操作に基づき、ある店舗の表示領域におけるある商品種類の商品に対応するシンボル画像を別の店舗の表示領域へ移動させて表示させ、その移動操作が完了すると、移動対象の商品のシンボル画像を、別の店舗の表示領域における同一の商品種類のシンボル画像に自動的に追加してまとめて１列または１行で表示させる。そして、前記データ処理部は、ある店舗および別の店舗について、シンボル画像の移動に対応して、在庫状況データにおけるそのシンボル画像に対応する商品の在庫数を変更する（例えば、特許文献１参照）。
【０００４】
かかる在庫管理装置によれば、直感的かつ簡単な操作で誤りなく、店舗間の在庫移動に関するデータ処理を実行することができる。
【０００５】
また、店舗毎の発注数が対応付けられた発注対象商品の識別情報と、店舗毎の振替用在庫数が対応付けられた振替対象商品の識別情報とが一致する場合、前記振替用在庫数を前記発注数に引き当てる引き当て手段と、前記引き当て手段によって前記発注数として引き当てられた数量と、前記発注対象商品の発注元の店舗である振替先店舗と、前記振替対象商品の登録元の店舗である振替元店舗と、前記振替対象商品の識別情報と、を有する店間振替指示データを出力するデータ出力手段と、を備える商品発注管理装置が提案されていた（例えば、特許文献２参照。）
【０００６】
かかる商品発注管理装置によれば、量販店本部において、どの店舗でどの商品が過剰在庫になっているかを適切に把握することができるとともに、各店舗において過剰在庫になった商品の処理を適切におこなうことができ、在庫振替による過剰在庫を有効活用することできる。
【先行技術文献】
【特許文献】
【０００７】
【特許文献１】特開２００８−１１０８６７号公報
【特許文献２】特開２０１３−５４６７４号公報
【発明の概要】
【発明が解決しようとする課題】
【０００８】
多店舗の在庫関連情報を一つの帳票で表示することにより、商品の在庫情報を全体俯瞰することができる点で、前記特許文献１及び特許文献２にかかる先行技術は、錯綜した情報を効率よく整理できるという効果を奏する。
【０００９】
しかし、前記先行技術は、いずれも、在庫数、引き当て数など、在庫管理上、必要とされる特定の事項の数量のみに焦点を当てた帳票であるため、売価変更、店間移動、客注あるいは値下げ、返品（以下、総称して「在庫処理」という。）などをする場合、価格情報、売上情報、他の店舗の状況など、他に必要な情報は、別の帳票を取り寄せて対比しなければならず、作業が煩雑になるという問題があった。
【００１０】
また、在庫処理において、商品を特定する場合、帳票上、データ化の容易性などの理由から、番号、記号で特定するようになっているため、入力ミスが生じやすく、在庫処理で他店舗への誤配などの不都合が生じるという問題があった。
【００１１】
この明細書における開示の目的は、上記課題を解消させるためのものであり、在庫処理に必要な情報を効率よく一覧できる帳票を提供することを目的とする。
【課題を解決するための手段】
【００１２】
上記目的を達成させるために、本明細書の開示にかかる在庫管理システムは、
少なくとも、店舗マスタ、仕入先マスタ、商品マスタ、価格マスタから構成されているマスタデータの格納部と、
少なくとも、所定期間内における値下げ価格と値下げ指示日、前記商品の仕入総数量、前記商品の仕入日、前記商品を前記複数の小売店舗に仕分けた店舗別数量、店舗別売上数及び在庫数を含む個別データを受け付けて記憶する記憶部と、
前記複数の小売店舗のうち、特定の店舗と前記所定期間の前記個別データとを記憶部から読みだすとともに、前記格納部のマスタデータに基づいて、前記特定の店舗の在庫一覧表を生成する生成部と、
前記生成された在庫一覧表を表示する表示部と、を有する。
そして、前記生成部で生成される在庫一覧表は、仕入先別にひとまとまりの帳票を形成し、その構成は、前記商品の画像を有する一つの商品表示欄に対して、少なくとも、前記商品の価格欄、前記商品の仕入履歴欄、前記特定の店舗の在庫欄、前記複数の小売店舗すべての売上数量及び在庫数量を表示する各店舗状況欄を対応させた商品ごとの在庫表示群を対比可能に同一形式で並列させたことを最も主要な特徴とする。
【００１３】
この構成によれば、複数ある仕入先のうち、特定の仕入先の商品の在庫処理に必要なデータを在庫表示群として整理し、この在庫表示群を商品ごとに対比可能に一覧できる帳票として生成することができる。
【００１４】
前記格納部は、さらに商品カテゴリマスタを格納し、前記生成部は、前記在庫一覧表を前記仕入先別のほか、前記格納部から前記商品カテゴリマスタを読み出して、商品カテゴリー別に生成することができるようにしてもよい。ここで、商品カテゴリーとは、上位の商品（例えば、被服）を特定の観点から同種の下位商品（トップス、ボトムス、インナー、アウターなど）に分類する名称をいう。
【００１５】
この構成によれば、用途に応じて、仕入先別、商品カテゴリー別のいずれかを選択して在庫一覧表を生成することができる。
【００１６】
前記価格欄は、各商品の売価のほか、上代、卸価格、下代から構成し、さらには、値下げ価格及び値下げ指示日が含まれる構成としてもよい。
【００１７】
この構成によれば、販売価格以外の情報も対比可能に閲覧することができ、他の商品との比較しながら、現況において、販売価格の至当性を判断することができる。
【００１８】
前記商品の仕入履歴欄は、前記所定期間内で仕入数量の多い日付順に前記商品の仕入日と当該仕入日の仕入数量を列記するとともに、仕入総数量を表示するようにしてもよい。
【００１９】
この構成によれば、店舗別に特定の商品の仕入数量の増減の推移がわかる。
【００２０】
最新の仕入日からの経過日数又は在庫の数量に対して、所定の閾値を設定し、前記閾値を超過した商品を判定する判定部を有し、前記生成部は、前記閾値を超過した商品の在庫表示群を他の在庫表示群と識別できる表示で生成するようにしてもよい。
【００２１】
この構成によれば、返品、値引き交渉などのタイミングを可視的に表示することができる。
【００２２】
前記特定の店舗の在庫欄に、前記商品の前記在庫一覧表の生成時における前記所定期間内の販売数又は在庫数のいずれか表示させるように選択可能とする表示選択部を有する構成としてもよい。
【００２３】
前記商品カテゴリマスタに、各店舗の入庫予定数量を表示する構成としてもよい。
【００２４】
この構成によれば、例えば、本部で一括管理している在庫引き当てに対応する各店舗の振り分け先及び数量が一覧できる。
【００２５】
前記所定期間内における前記複数の小売店舗すべての仕入の数量に対する売上数量の比率である消化率を算出する算出部を有し、前記生成部は、前記仕入先別又は前記商品カテゴリー別の在庫一覧表に、前記算出された消化率を表示するようにしてもよい。
【００２６】
この構成によれば、商品の売れ行きを定量的に判断することができる。
【００２７】
前記表示部は、前記仕入先別又は商品カテゴリー別の在庫一覧表に表示されているいずれかの店舗の在庫数量が指定されると、当該店舗の前記商品を他のいずれかの指定店舗に移動させる店間移動の指示データ入力フォームを表示するようにしてもよい。
【００２８】
この構成によれば、店間移動の指示が容易にできる。
【発明の効果】
【００２９】
本明細書の開示にかかる在庫管理システムは、在庫処理に必要な情報を効率よく一覧できる帳票を提供することができるという効果を奏する。
【図面の簡単な説明】
【００３０】
【図１】図１は、本明細書で開示する在庫管理システムの構成図である。
【図２】図２は、本明細書で開示する管理サーバの機能ブロック図である。
【図３】図３は、在庫一覧表の構成概略図である。
【図４】図４は、仕入先別の商品を表示した店別在庫一覧表を示す図である。
【図５】図５は、表示選択部で店舗の在庫欄で表示する事項として売上数を選択した場合の店別在庫一覧表を示す図である。
【図６】図６は、在庫の数量が所定の閾値を超えた在庫表示群を網掛け表示した店別在庫一覧表を示した図である。
【図７】図７は、商品カテゴリー別の商品を表示した店別在庫一覧表を示す図である。
【発明を実施するための形態】
【００３１】
以下、図面を参照しながら、本明細書の開示を実施するための形態を説明する。先に説明した実施形態に対応する構成要素を後続の実施形態が有する場合には、同一の符号を付して重複する説明を省略する。また、各実施形態において構成の一部のみを説明している場合、当該構成の他の部分については先行して説明した実施形態の符号を使用する場合がある。各実施形態で具体的に組み合わせが可能であることを明示していない場合でも、特に当該組み合わせに支障が生じなければ、各実施形態同士を部分的に組み合わせることも可能である。さらに、以下で説明する実施形態は、例示であり、以下の実施形態に限定されるものではなく、本明細書の開示の趣旨を逸脱しない限り、種々変更することが可能である。
【００３２】
図１は、本実施形態にかかる在庫管理システム１の構成例を示す図である。在庫管理システム１は、管理サーバ１１、複数の店舗端末１２（店舗端末１２ａ、１２ｂ、１２ｃ…１２ｎ）及び本部端末１３が、インターネット１４を介して通信可能に接続されている。なお、図１では、管理サーバ１１、本部端末１３が１台になっているが、複数台であってもよい。また、図１は、いわゆる「クライアント―サーバ」の構成であるが、管理サーバ１１の全部又は一部を構成するハードウェアやソフトウェア等のコンピュータ資源をクラウドコンピューティングにより提供する形態としてもよい。
【００３３】
店舗端末１２は、商品の在庫情報を、インターネット１４を介して管理サーバ１１に送信するパーソナルコンピュータ、スマートフォン、タブレット端末等の情報処理装置である。
【００３４】
管理サーバ１１は、店舗端末１２から受け付けた前記商品の在庫情報に基づき、後述する在庫一覧表を生成するために必要な処理を行う。
【００３５】
本部端末１３は、店舗端末１２から商品の在庫情報を受け付けた管理サーバ１１に対して、在庫一覧表の生成を要求し、生成された在庫一覧表を表示させることが可能なパーソナルコンピュータ、スマートフォン、タブレット端末等の情報処理装置である。管理サーバ１１と本部端末１３との間の前記在庫一覧表の生成の要求、在庫一覧表の表示は、インターネット１４を介してデータの送受信によって行われるが、インターネット１４以外の通信ネットワークでもよく、さらには、本部端末１３の機能を管理サーバ１１が備えた形態であってもよい。
【００３６】
図２は、管理サーバ１１の内部構成を示す機能ブロック図である。管理サーバ１１は、少なくとも、ＣＰＵ（Ｃｅｎｔｒａｌ Ｐｒｏｃｅｓｓｉｎｇ Ｕｎｉｔ）１１１、ＲＡＭ（Ｒａｎｄｏｍ Ａｃｃｅｓｓ
Ｍｅｍｏｒｙ）１１２、格納部１１３、記憶部１１４、通信制御部１１５、生成部１１６を備え、これらの各部は、バス１１７を介して接続される。
【００３７】
ＣＰＵ１１１は、格納部１１３に記憶した基本制御プログラムを読み出して実行することにより、管理サーバ１１の各部を制御する。また、ＣＰＵ１１１は、格納部１１３に記憶した各種アプリケーションプログラム、及び、これらプログラムに係るデータ等を読み出して実行し、管理サーバ１１の各種機能を実現する。すなわち、ＣＰＵ１１１は、通信制御部１１５によってインターネット１４を介したデータの送受信を実行することにより、アプリケーションプログラムを読み出して実行し、格納部１１３に記憶したデータの入力、編集、更新、削除等の各種処理を行う。さらに、ＣＰＵ１１１は、通信制御部１１５を介して、店舗端末１２との間で各種データを送受信する。また、ＣＰＵ１１１は、前記アプリケーションプログラムによる処理結果を表示するための表示情報を生成部１１６で、本部端末１３で表示可能な処理結果を生成する。ここで、生成部１１６で生成される表示情報とは、後述する通り、在庫一覧表である。
【００３８】
ＲＡＭ１１２は、ＣＰＵ１１１により実行されるアプリケーションプログラム及びこれらプログラムに係るデータ等を一時的に記憶するワークエリアを形成する。
【００３９】
格納部１１３は、磁気的、光学的記録媒体または半導体記憶素子を用いた記録媒体を内蔵し、ＣＰＵ１１１により実行されるアプリケーションプログラム及びデータ等を記憶する。格納部１１３は、例えば、店舗マスタ１１３ａ、仕入先マスタ１１３ｂ、商品マスタ１１３ｃ、価格マスタ１１３ｄ、商品カテゴリマスタ１１３ｅ等を記憶する。
【００４０】
記憶部１１４は、店舗端末１２又は本部端末１３から定期的又は不定期的に更新される個別データが記憶される。ここで、個別データとは、各店舗の売上数量データ、在庫数量データ、値引売価データ、仕入履歴データなどである。格納部１１３に格納されている店舗マスタ１１３ａ、仕入先マスタ１１３ｂ、商品マスタ１１３ｃ、価格マスタ１１３ｄ、商品カテゴリマスタ１１３ｅ等と記憶部１１４に記憶されている前記個別データとを生成部１１６が読み出して、ＣＰＵ１１１によって、前記在庫一覧表が生成される。
【００４１】
管理サーバ１１に対して、在庫一覧表の生成を指示する入力部及び生成された在庫一覧表を表示する表示部は、本部端末１３が管理サーバ１１の通信制御部１１５を介して存在するが、前記の通り、管理サーバ１１が、本部端末の機能も有する場合は、管理サーバ１１が入力部、表示部も備える構成となる。
【００４２】
なお、管理サーバ１１は、上記のほか、最新の仕入日からの経過日数又は在庫の数量に対して、所定の閾値を設定し、前記閾値を超過した商品を判定する判定部１１０１、特定の店舗の在庫欄に、前記在庫一覧表の生成時における所定期間内の販売数又は在庫数のいずれか表示させるように選択可能とする表示選択部１１０２、複数の小売店舗すべての売上数量合計と在庫数量合計から、所定期間内における商品の在庫消化率を算出する算出部１１０３を備えたものであってもよい。
【００４３】
以下、図３により、生成部１１６で生成される在庫一覧表の基本的な構成を説明する。
【００４４】
本実施の形態では、在庫一覧表Ｌは、ページＰ１、Ｐ２、Ｐ３のように、複数枚の帳票で構成されているが、１枚の帳票であってもよい。各リストＰ１、Ｐ２、Ｐ３は、複数の在庫表示群Ｇ１、Ｇ２、Ｇ３が、並列的に列記されている。各在庫表示群Ｇ１、Ｇ２、Ｇ３は、少なくとも、商品画像欄Ｃ１、価格欄Ｃ２、仕入履歴欄Ｃ３、店舗在庫欄Ｃ４、カテゴリマスタＣ５から構成され、各在庫表示群Ｇ１、Ｇ２、Ｇ３が、相互に対比可能に、商品画像欄Ｃ１、価格欄Ｃ２、仕入履歴欄Ｃ３、店舗在庫欄Ｃ４、カテゴリマスタＣ５が同じ位置に配されている。
【００４５】
このような構成とすることで、在庫処理に必要となる情報を複数商品で比較可能に一覧できるため、適切かつ迅速に在庫処理を行うことができる。
【００４６】
以下、図４から図７により、具体的なデータを表示した在庫一覧表の構成、機能を説明する。なお、以下、本実施の形態において、例示的に在庫管理の対象商品は、アパレル（被服）とする。ただし、図３で説明した在庫表示群Ｇ１１からＧ１８の各項目で特定可能な商品であれば、いかなる商品であってもよい。
【００４７】
図４は、仕入先別の商品を表示した店別在庫一覧表Ｌ１である。店別在庫一覧表Ｌ１は、１ページ目に８つの在庫表示群Ｇ１１からＧ１８が、各々対比可能に表示されている。各在庫表示群Ｇ１１からＧ１８の構成は、以下の通りである。
【００４８】
商品画像欄Ｃ１は、商品を番号で特定する品番Ｃ１１、商品を画像で特定する画像Ｃ１２から構成されている。なお、従来の在庫一覧表、在庫リストなどでは、商品を特定する場合に、品番のみで特定していたが、本実施の形態では、商品の画像（写真）を店別在庫一覧表Ｌ１の必須の構成要素としている。商品画像欄Ｃ１の画像と以下で説明する在庫表示群Ｇ１１からＧ１８に表示されている各情報とを、在庫表示群という枠内に同一形式で対応付けて表示することにより、直感的に商品を特定することができ、品番など数字や記号だけで特定する場合に比べて、商品特定のミスを軽減することができる。また、在庫処理において、商品の画像を可視化することで、流行など定性的判断を要する場合にも、判断が容易になる。
【００４９】
価格欄Ｃ２は、商品の標準小売価格の上代Ｃ２１、実際の店頭での販売価格である売価Ｃ２２、値引きがあった場合の販売価格である値引売価Ｃ２３、上代に対する下代の比率（仕入原価率）である卸Ｃ２４、商品仕入れ時の取引価格である下代Ｃ２５から構成されている。
【００５０】
なお、値引売価Ｃ２３は、値引きが実際に適用された日も表記される。また、卸Ｃ２４は、本実施の形態では、例示的に５５％としているがこれに限定されるものではない。
【００５１】
以上の通り、一つの商品に対して、上代、売価、値引売価、卸、下代など、売価決定までの価格情報をすべて網羅することで、在庫処理、特に、価格交渉、価格決定の判断を容易にする。
【００５２】
仕入履歴欄Ｃ３は、前記画像で特定された画像Ｃ１２を全店舗で仕入れた仕入日とその仕入日に仕入れた数量を表示する。本実施の形態では、直近３回の仕入履歴を表示するようにしているが、表示する回数は任意に設定可能である。なお、仕入表示群Ｇ１１仕入履歴欄Ｃ３において、２０１９年２月２０日の仕入れた数量が、「−１」となっているのは、返品を意味する。このように、仕入れた数量をマイナス表記することにより、直感的に返品として理解できるようにしている。仕入れた数量の最下段には、仕入履歴欄Ｃ３に表示した過去の仕入れ数量の合計が表記される。本実施の形態では、商品番号１０４０１５を２０１９年２月１４日に６着、２０１９年２月１８日に１着仕入れているが、前記した通り、２０１９年２月２０日に１着返品しているため、仕入れ数量の合計は６着となっている。仕入履歴欄Ｃ３により、商品の売れ行き状況が、一つの帳票で、他の在庫表示群の商品と定量的かつ対比的に把握することができる。
【００５３】
店舗在庫欄Ｃ４は、特定の店舗の在庫数欄Ｃ４１と在庫になっている商品の詳細を表記した在庫明細欄Ｃ４２とから構成されている。なお、在庫明細欄Ｃ４２は、色、サイズ、数量の３つが表示されている。本実施の形態では、例えば、商品１０４０１５について、在庫明細欄Ｃ４２は、色が「０３０」、サイズが「Ｆ」、数量が「１」というように表記されている。なお、在庫明細欄で表記する項目は、色、サイズ、数量に限定する趣旨ではなく、これらの事項に追加して、例えば男性用、女性用、子供用などの属性を表記してもよい。
【００５４】
カテゴリマスタＣ５は、少なくとも、店別在庫一覧表Ｌ１の対象となった店舗を含むすべての店舗の店名と各店舗の売上数量、在庫数量を表示する各店舗売上・在庫欄Ｃ５１とすべての店舗の売上数量、在庫数量の合計欄Ｃ５２とから構成されている。
【００５５】
また、各店舗売上・在庫欄Ｃ５１は、店舗ごとに入庫予定数量を表記するようにしてもよい。商品の仕入れを本部で一括管理し、各店舗に振り分ける場合、在庫引き当てに対応する各店舗への振り分け先と数量がこの表記でわかる。
【００５６】
さらに、合計欄Ｃ５２に、仕入れの数量（仕入履歴欄Ｃ３に記載の仕入れ数量）に対する売上数量から消化率を表記してもよい。すなわち、管理サーバ１１の算出部１１０３において、仕入履歴欄Ｃ３の仕入れの数量に対する合計欄Ｃ５２の売上数量の比率を算出すればよい。本実施の形態では、例えば、商品１０４０１５について、仕入履歴欄Ｃ３の仕入れの数量が「６」であり、合計欄Ｃ５２の売上数量が「３」であるから、消化率を算出すると５０．０％になるため、算出部１１０３で算出された結果の５０．０％を生成部１１６で合計欄Ｃ５２に表記するように処理すればよい。
【００５７】
なお、合計欄Ｃ５２の売上数量、在庫数量の合算数量は、仕入履歴欄Ｃ３の仕入れの数量と一致する。すなわち、本実施の形態では、例えば、商品１０４０１５について、合計欄Ｃ５２の売上数量が「３」、在庫数量が「３」であるから、その合算数量は「６」であり、仕入履歴欄Ｃ３の仕入れの数量が「６」と一致する。
【００５８】
店別在庫一覧表Ｌ１の欄外（マージン上段部分及び下段部分）には、店別在庫一覧表Ｌ１全体の明細が表示される。店別在庫一覧表Ｌ１全体の明細は、マージン上段部分の店舗名Ｍ１、仕入先名（ブランド名）Ｍ２、入庫日（期間）Ｍ３、在庫計Ｍ４、下代計Ｍ５及びマージン下段部分のページ数Ｍ６から構成される。
【００５９】
店舗名Ｍ１は、店別在庫一覧表Ｌ１の対象となる店舗名が表示される。本実施の形態では、店番号０１の「豊田店」を表示している。したがって、店別在庫一覧表Ｌ１の店舗在庫欄Ｃ４のデータは、すべて「豊田店」のデータとなる。
【００６０】
仕入先名（ブランド名）Ｍ２は、店別在庫一覧表Ｌ１の対象となる仕入先名（ブランド名）が表示される。本実施の形態では、仕入先（ブランド）番号５７の「ＡＡＢＣ」を表示している。したがって、店別在庫一覧表Ｌ１の商品画像欄Ｃ１のデータは、すべて「ＡＡＢＣ」のデータとなる。
【００６１】
入庫日（期間）Ｍ３は、店別在庫一覧表Ｌ１の対象となる商品の入庫期間が表示されている。本実施の形態では、２０１９年１月１日から２０１９年３月２８日までの期間を表示している。したがって、店別在庫一覧表Ｌ１の仕入履歴欄Ｃ３、店舗在庫欄Ｃ４、カテゴリマスタＣ５の各数量データは、すべてこの期間内のデータである。なお、この期間は、閲覧者によって任意に設定することができる。すなわち、本部端末１３の入力部から、入庫期間が入力され、管理サーバ１１に送信されると、管理サーバ１１の通信制御部１１５を介してこれを受け付けて、生成部１１６は、受信した入庫期間のデータを記憶部１１４から読み出し、読み出した期間内の個別データに基づいて店別在庫一覧表Ｌ１を生成する。
【００６２】
在庫計Ｍ４は、仕入先「ＡＡＢＣ」の全在庫数を表示する。本実施の形態では、１５３着の在庫があることを示している。なお、全在庫数の横に表記されている（０）については後述する。
【００６３】
下代計Ｍ５は、仕入先「ＡＡＢＣ」の下代合計金額が表示される。したがって、在庫計Ｍ４の全在庫数に対応する下代合計金額となる。
【００６４】
マージン下段部分のページは、店別在庫一覧表Ｌ１の全ページ数を示す。本実施の形態では、「１／１３」と表示されているので１３ページあることを示している。
【００６５】
図５から図７は、図４で説明した店別在庫一覧表Ｌ１の変形例である。図４と同じ構成のものについては、同一の符号を用い、詳細な説明は割愛する。
【００６６】
図５は、在庫計Ｍ４において、図４で全在庫数の横に表記されている（０）を（１）と設定した場合の表である。ここで、（０）は、在庫数欄Ｃ４１で当該店舗（本実施の形態では、「豊田店」）の各商品の在庫数を示す。一方、表示選択部１１０２により、この部分を（１）に設定すると、在庫数欄Ｃ４１で当該店舗（本実施の形態では、「豊田店」）の各商品の販売数が表示される。同一形式の表で在庫計Ｍ４の括弧内の数字を変更するだけで、当該店舗の在庫数、販売数を切り替えて表示することが可能になる。
【００６７】
図６は、最新の仕入日からの経過日数又は在庫の数量に対して、所定の閾値を設定し、前記閾値を超過した商品の在庫表示群を他の在庫表示群と識別できる表示としたものである。
【００６８】
本実施の形態では、前記所定の閾値を「在庫数１５」と設定し、合計欄Ｃ５２の在庫数合計が１５を超えた商品番号１０４１００と１０４１０１の在庫表示群Ｇ１７及びＧ１８を他の在庫表示群Ｇ１１からＧ１６までと識別できるように網掛けで表示している。識別するための表示は、網掛けのほか、例えば、在庫表示群の地色を特定の色で表記するようにしてもよい。なお、前記閾値の判断は、管理サーバ１１の判定部１１０１によって行われる。
【００６９】
図７は、店別在庫一覧表Ｌ２が、商品カテゴリー別になっている。すなわち、図４から図６までは、店別在庫一覧表Ｌ１が、仕入先名（ブランド名）Ｍ２になっているが、図７は、商品カテゴリー名Ｍ７になっている。したがって、商品画像欄Ｃ１の画像は、すべてスラックスの画像になる。予め仕入先別にするか商品カテゴリー別にするかを設定することにより、格納部１１３から仕入先マスタ１１３ｂか商品カテゴリマスタ１１３ｅのいずれかを読み出せばよい。
【００７０】
なお、本部端末１３の表示部で表示されている店別在庫一覧表で、カテゴリマスタＣ５に表示されているいずれかの店舗の在庫数量を本部端末１３の入力部を介して指定すると、当該店舗の商品を他のいずれかの指定店舗に移動させる店間移動の指示データ入力フォームを表示するようにしてもよい（図示せず）。
【００７１】
店別在庫一覧表は、以上のような構成になっているため、多様な在庫処理の作業において必要とされる情報が網羅的かつ比較容易に表示され、効率的に在庫処理業務を行うことができる。
【００７２】
たとえば、特定の仕入先（メーカなど）の売れ行きが悪い商品に対して、下代の値引き交渉を行う場合、店別在庫一覧表を提示することにより、下代の値引き交渉をスムーズに進めることができる。また、各店舗で客注が発生した場合、店別在庫一覧表を参照すれば、在庫の確認が容易になり、速やかに店間移動を依頼する店舗の在庫を確保し、調達を行うことができる。さらに、合計欄Ｃ５２の消化率を参照することにより、売り上げ消化の速い商品については迅速に仕入先（メーカ）に追加発注をすることができる。
【符号の説明】
【００７３】
１        在庫管理システム  
１１      管理サーバ
１２      店舗端末  
１３      本部端末  
１４      インターネット    
１１１    ＣＰＵ
１１２    ＲＡＭ
１１３    格納部
１１４    記憶部
１１５    通信制御部
１１６    生成部
１１７    バス
１１０１  判定部
１１０２  表示選択部
１１０３  算出部
Ｌ        在庫一覧表
Ｇ１、Ｇ２，Ｇ３  在庫表示群
【図１】
0006963319.tif 000002
【図２】
0006963319.tif 000003
【図３】
0006963319.tif 000004
【図４】
0006963319.tif 000005
【図５】
0006963319.tif 000006
【図６】
0006963319.tif 000007
【図７】
0006963319.tif 000008